(57)【特許請求の範囲】
【請求項１】
収納する物品を保持する台座と、台座を収納する直方体状のケース本体とを備える収納ケースにおいて、
上記台座は、
収納する物品を取り付ける物品取付部が設けられた台座天面部と、
上記台座天面部から折り曲げられて設けられ、上記ケース本体に収納された場合に上記ケース本体の本体側面部の内壁に沿って移動可能な台座側面部とを備え、
上記ケース本体は、
上記台座を収納した場合に上記台座天面部側の面となる本体上面部の内側に、クッション性を有し上記物品取付部に取り付けられた物品を保護する本体保護部であって、上記本体側面部のうち面積の小さい面である第１側面部の上記本体上面部側の端部である第１端部を上記台座天面部方向へ所定の角度傾斜させて上記第１側面部と対向する上記本体側面部側の面である第２側面部方向へ折り返すとともに、先端を上記本体上面部方向へ折り返して第２側面部に当接する本体保護部と、
上記第２側面部の上記本体上面部側の端部である第２端部を内側へ折り返して設けられ、上記本体保護部の先端を上記第２側面部との間に挟み、上記本体保護部の先端が上記本体上面部方向へずれることを係止する本体係止部と
を備えることを特徴とする収納ケース。
【請求項２】
上記物品取付部は、略Ｈ字状の切込みにより構成される２つの舌部を有し、上記切込みに物品が挿入された場合に上記２つの舌部の弾性により上記物品を挟持する
ことを特徴とする請求項１記載の収納ケース。
【請求項３】
上記本体保護部は、先端を上記第２側面部に当接することにより、上記台座天面部方向へ所定の角度傾斜させた部分にたわみを有することを特徴とする請求項１記載の収納ケース。
【請求項４】
上記ケース本体は、さらに、
上記本体上面部の外側に、所定の物に吊り下げ可能な穴を有する吊り下げ部
を備えることを特徴とする請求項１記載の収納ケース。
【請求項５】
上記吊り下げ部は、上記本体側面部の１つの面である第３側面部の端部を上記本体上面部の外側まで延長し、端部を折り返して２重化して設けられる
ことを特徴とする請求項４記載の収納ケース。
【請求項６】
上記台座と上記ケース本体とは透明な材料により形成される
ことを特徴とする請求項１記載の収納ケース。
【請求項７】
上記物品取付部は、ランプの口金を挿入されてランプの口金が上記台座側面部の内側になるようにランプを取り付け、
上記台座側面部は、上記台座天面部から端部までの長さが、挿入された上記ランプの口金の長さよりも長い
ことを特徴とする請求項１記載の収納ケース。
【請求項８】
上記物品取付部は、上記切込みにランプの口金が挿入されてランプを取り付けるとともに、上記２つの舌部により上記ランプの口金が有する４つの面の内、対向する幅の狭い２つの面を挟持する
ことを特徴とする請求項２記載の収納ケース。
【請求項９】
上記本体側面部は、断面を略長方形に形成し、上記長方形の短辺の長さが２０ｍｍ以上であり、上記長方形の長辺の長さが上記短辺の長さの２倍以上である
ことを特徴とする請求項１記載の収納ケース。
【発明の詳細な説明】
【技術分野】
【０００１】
本発明は、ランプ等を収納する収納ケースに関するものである。
【背景技術】
【０００２】
ランプの収納ケースには、材料に紙を使用した個装箱がある。または、紙材料の台紙にＰＥＴ（Ｐｏｌｙ  Ｅｔｈｙｌｅｎｅ  Ｔｅｒｅｐｈｔｈａｌａｔｅ）などの透明なカバーを付けたブリスター包装がある。
【特許文献１】特開２００２−２２５８４９号公報
【発明の開示】
【発明が解決しようとする課題】
【０００３】
材料に紙を使用した個装箱では、不透明であるため店舗などで陳列された場合に、中を見ることができない。また、個装箱及びブリスターのいずれの収納ケースであっても、落下などの衝撃からランプを保護するためには別途緩衝材を設ける必要がある。
本発明は、例えば、個装箱の外からランプの形状を確認することができること目的とする。また、別途緩衝材を設けることなく落下などの衝撃からランプを保護することを目的とする。
【課題を解決するための手段】
【０００４】
本発明に係る収納ケースは、収納する物品を保持する台座と、台座を収納するケース本体とを備える収納ケースにおいて、
上記台座は、
収納する物品を取り付ける物品取付部が設けられた台座天面部と、
上記台座天面部から折り曲げられて設けられ、上記ケース本体に収納された場合に上記ケース本体の本体側面部の内壁に沿って移動可能な台座側面部とを備え、
上記ケース本体は、
上記台座を収納した場合に上記台座天面部側の面となる本体上面部の内側に、クッション性を有し上記物品取付部に取り付けられた物品を保護する本体保護部
を備えることを特徴とする。
【０００５】
上記物品取付部は、略Ｈ字状の切込みにより構成される２つの舌部を有し、上記切込みに物品が挿入された場合に上記２つの舌部の弾性により上記物品を挟持する
ことを特徴とする。
【０００６】
上記本体保護部は、上記本体側面部の１つの面である第１側面部の端部である第１端部を内側に折り返して設けられる
ことを特徴とする。
【０００７】
上記第１端部は、上記第１側面部から上記第１側面部と対向する上記本体上面部側の１つの面である第２側面部までの距離よりも長い
ことを特徴とする。
【０００８】
上記本体保護部は、先端を上記第１側面部と対向する面に当接することによりたわみを有し、
上記ケース本体は、さらに、
上記本体保護部の先端のずれを係止する本体係止部
を備えることを特徴とする。
【０００９】
上記本体保護部は、上記第１端部を上記台座天面部方向へ所定の角度傾斜させて上記第１側面部と対向する上記本体上面部側の１つの面である第２側面部方向へ折り返すとともに、先端を上記本体上面部方向へ折り返して第２側面部に当接し、
上記ケース本体は、さらに、
上記第２側面部の端部である第２端部を内側へ折り返して設けられ、上記本体保護部の先端が上記本体上面部方向へずれることを係止する本体係止部
を備えることを特徴とする。
【００１０】
上記ケース本体は、さらに、
上記本体上面部の外側に、所定の物に吊り下げ可能な穴を有する吊り下げ部
を備えることを特徴とする。
【００１１】
上記吊り下げ部は、上記本体側面部の１つの面である第３側面部の端部を上記本体上面部の外側まで延長し、端部を折り返して２重化して設けられる
ことを特徴とする。
【００１２】
上記台座と上記ケース本体とは透明な材料により形成される
ことを特徴とする。
【００１３】
上記物品取付部は、ランプの口金を挿入されてランプの口金が上記台座側面部の内側になるようにランプを取り付け、
上記台座側面部は、上記台座天面部から端部までの長さが、挿入された上記ランプの口金の長さよりも長い
ことを特徴とする。
【００１４】
上記物品取付部は、上記切込みにランプの口金が挿入されてランプを取り付けるとともに、上記２つの舌部により上記ランプの口金が有する４つの面の内、対向する幅の狭い２つの面を挟持する
ことを特徴とする。
【００１５】
上記本体側面部は、断面を略長方形に形成し、上記長方形の短辺の長さが２０ｍｍ以上であり、上記長方形の長辺の長さが上記短辺の長さの２倍以上である
ことを特徴とする。
【００１６】
また、本発明に係る収納ケースは、収納する物品を保持する台座と、台座を収納するケース本体とを備える収納ケースにおいて、
上記台座は、
略Ｈ字状の切込みにより構成される２つの舌部を有し、上記切込みに物品が挿入された場合に上記２つの舌部の弾性により上記物品を挟持して取り付ける物品取付部と、
上記物品取付部が設けられた台座天面部から折り曲げられて設けられ、上記ケース本体に収納された場合に上記ケース本体の本体側面部の内壁と当接する台座側面部と
を備えることを特徴とする。
【００１７】
さらに、本発明に係る収納ケースは、収納する物品を保持する台座と、台座を収納するケース本体とを備える収納ケースにおいて、
上記台座は、
収納する物品の下側部を挿入して取り付ける物品取付部と、
上記ケース本体に収納された場合に上記ケース本体の本体側面部の内壁に沿って移動可能にするとともに、上記物品の下側部を保護する台座側面部とを備え、
上記ケース本体は、
クッション性を有し、上記物品の上端を保護する本体保護部
を備えることを特徴とする。
【００１８】
上記ケース本体は、さらに、
上記本体上面部の外側に、所定の物に吊り下げ可能な穴を有する吊り下げ部
を備えることを特徴とする。
【発明の効果】
【００１９】
本発明に係る収納ケースによれば、ランプなどの物品が取り付けられる台座はケース本体に対して移動可能であるため、ケース本体にかかった衝撃が物品に直接伝わらない。また、物品の一端は台座側面部により保護され、他端は本体保護部により保護されている。したがって、別途緩衝材を設けることなく落下などの衝撃から物品を保護することができる。また、透明な素材を用いたことにより、外部から収納された物品を視認することができる。
【発明を実施するための最良の形態】
【００２０】
以下、図に基づき本発明の実施の形態について説明する。
【００２１】
実施の形態１．
まず、図１、図２、図３に基づき実施の形態１に係る収納ケースについて説明する。実施の形態１に係る収納ケースは、収納する物品を保持する台座２００と、台座２００を収納するケース本体１００とを備える。図１は、ランプ３００が取り付けられた台座２００をケース本体１００に収納した状態の実施の形態１に係る収納ケースを示す斜視図である。図２は、実施の形態１に係るケース本体１００の展開図である。図３は、実施の形態１に係る台座２００の展開図である。
【００２２】
図１に示すように、ランプ３００は、台座２００に取り付けられケース本体に収納される。ランプ３００は一端を台座２００の物品取付部２２０に挿入して、周囲を台座側面部２３０に囲まれる。ここで台座２００は本体側面部に沿って（図１に示すＡ方向及びＢ方向へ）台座側面部２３０を本体側面部の内壁に摩擦しながら移動可能である。一方、ランプ３００の他端には、ケース本体１００が備える本体保護部１４０が設けられ、台座２００が移動した場合に、ランプ３００の上記他端を保護する。
【００２３】
次に、図２、図３に示すケース本体１００と台座２００との展開図を用いて詳細に説明する。
図２に示すケース本体１００は、本体側面部１１０、本体上面部１２０、本体下面部１３０、本体保護部１４０、本体係止部１５０、吊り下げ部１６０、のり代部１７０、爪部ａ１８０ａ、爪部ｂ１８０ｂを備える。また、本体側面部１１０は、第１側面部１１２、第２側面部１１４、第３側面部１１６、第４側面部１１８を備える。さらに、本体保護部１４０は、先端１４２、クッション部１４４を備える。また、本体上面部１２０は、上面部先端１２２を備え、本体下面部１３０は、下面部先端１３２を備える。さらに、吊り下げ部１６０は凸部１６２を備える。
図３に示す台座２００は、台座天面部２１０、物品取付部２２０、台座側面部ａ２３０ａ、台座側面部ｂ２３０ｂ、台座側面部ｃ２３０ｃ、台座側面部ｄ２３０ｄを備える。また、物品取付部２２０は、舌部ａ２２２ａ、舌部ｂ２２２ｂを備える。
【００２４】
ケース本体１００は、透明なプラスチック（ＰＥＴやＰＰ（ｐｏｌｙｐｒｏｐｙｌｅｎｅ））などの材料により作られている。ケース本体１００は、第１側面部１１２と第３側面部１１６との間を略直角に折り曲げ、第１側面部１１２と第４側面部１１８との間を略直角に折り曲げ、第２側面部１１４と第４側面部１１８との間を略直角に折り曲げることにより略直方体の筒状に組み立てる。そして、第２側面部１１４とのり代部１７０との間を略直角に折り曲げ、のり代部１７０を第３側面部１１６の外側に接着して固定する。のり代部１７０を第３側面部１１６の内側に接着することも可能であるが、ケース本体１００の内部に台座２００を収納するため、のり代部１７０を第３側面部１１６の外側に接着することが望ましい。
また、爪部ａ１８０ａと爪部ｂ１８０ｂとを内側に折り曲げる。さらに、本体下面部１３０を略直角に折り曲げ、本体下面部１３０の先端である下面部先端１３２を折り曲げて内側に挿入して略固定する。
また、本体保護部１４０は、第１側面部１１２の端部である第１端部を延長して設けられる。本体保護部１４０は、本体下面部１３０方向（上記台座天面部方向、図１に示すＢ方向）へ所定の角度傾斜させて第１側面部１１２と対向する本体側面部１１０側の面である第２側面部１１４方向へ折り返す。そして、本体保護部１４０は、先端４２を本体上面部１２０方向へ折り返して第２側面部に当接する。したがって、本体保護部１４０の先端部４２を除いた部分であるクッション部４４の長さは、第１側面部１１２から第２側面部１１４までの距離よりも長い。また、本体保護部１４０は、先端を第２側面部１１４に当接することによりクッション部４４はたわみを有する。さらに、第２側面部の端部である第２端部を延長して設けられた本体係止部１５０は、内側へ折り返され、本体保護部１４０の先端が本体上面部１２０方向へずれることを係止する。本体保護部１４０は、プラスチックなどの材料であるため、本体下面部１３０方向から本体上面部１２０方向（図１に示すＡ方向）へ押した場合に弾力を生じる。さらに、本体上面部１２０を略直角に折り曲げ、本体上面部１２０の先端である上面部先端１２２を折り曲げて内側に挿入して略固定する。これにより、本体保護部１４０の先端１４２が本体上面部１２０方向へずれることを係止する力がさらに強くなる。
また、吊り下げ部１６０は、第３側面部１１６の端部を上記本体上面部の外側まで延長して設けられる。吊り下げ部１６０は、所定の位置で折り返して先端をケースの内側に挿入して２重化して設けられる。また、吊り下げ部１６０は、所定の物に吊り下げ可能な穴を有し、２重化された場合に穴の位置が一致するように折り曲げられる。製造時に吊り下げ部１６０の片面に印刷すれば、組み立てられた場合に折り曲げて２重化されることで、両面が印刷面になる。さらに、２重化することにより強度が増し、破損による落下を防止できる。また、吊り下げ部１６０が有する穴は凸字状の形状である。これにより、フックバーなどに吊り下げる場合に、穴が大きいため吊り下げる作業が容易である。また、吊り下げ部１６０の凸部１６２の位置にフックバーが当たり停止するため、複数の収納ケースを陳列する場合に、各収納ケースが概ね揃えて陳列できる。さらに、幅広のフックバーにも吊り下げ可能である。
また、本体保護部１４０、本体係止部１５０、爪部ａ１８０ａ、爪部ｂ１８０ｂは組み立てのし易さを考慮しくびれ部を有している。
【００２５】
台座２００は、ケース本体１００と同様に透明なプラスチック（ＰＥＴやＰＰ）などの材料により作られている。物品取付部２２０が設けられた台座天面部２１０から略直角に台座側面部ａ２３０ａ、台座側面部ｂ２３０ｂ、台座側面部ｃ２３０ｃ、台座側面部ｄ２３０ｄが折り曲げられている。ここでは、台座２００は台座側面部を台座側面部ａ〜ｄの４つ備えるが、台座側面部ａ，ｂのみ又は台座側面部ｃ，ｄのみの対向するいずれか２つのみ備えることとしても構わない。
また、物品取付部２２０は、略Ｈ字状の切込みにより構成される２つの舌部（舌部ａ２２２ａ、舌部ｂ２２２ｂ）を有し、切込みに物品が挿入された場合に２つの舌部の弾性により挿入された物品を挟持する。ここでは、切込みをＨ字状としているが、Ｘ字状であっても、コ字状であっても構わない。つまり、Ｘ字状であれば、三角形の４つの舌部により物品が挟持され、コ字状であれば、１つの舌部が一方から物品を押さえる。また、舌部を残さず孔としても構わない。しかし、切込みをＨ字状とした場合には、２つの舌部をケースの横面になるように配置することで、収納ケース正面からの物品の視認性が高くなる。
【００２６】
そして、収納される物品を取り付けた台座２００を図１に示すようにケース本体１００に収納する。ここで、台座側面部（台座側面部ａ２３０ａ、台座側面部ｂ２３０ｂ、台座側面部ｃ２３０ｃ、台座側面部ｄ２３０ｄ）は、ケース本体１００に収納された場合にケース本体１００の本体側面部１１０の内壁と当接する。台座側面部がケース本体１００の本体側面部１１０の内壁と当接することにより、台座２００はケース本体に概ね固定される。しかし、台座２００は、ケース本体に完全に固定されず、ケース本体１００に収納された場合にケース本体１００の本体側面部１１０の内壁に沿って移動可能にする。これにより、ケース本体１００に衝撃が加えられた場合に、台座２００が本体側面部１１０の内壁と摩擦しながら移動することにより衝撃が吸収され、収納された物品に衝撃が伝わるのを防ぐことができる。
また、図１に示すように、台座天面部２１０に対して台座側面部が折り返された方向の反対側に本体保護部１４０が位置するように台座２００はケース本体１００に収納される。台座２００は、ケース本体１００の本体側面部１１０の内壁に沿って移動可能であるため、台座２００が移動することにより、収納された物品の物品取付部２２０に挿入された側である下端部が本体下面部１３０に当たる可能性がある。また、収納された物品の上端部が本体上面部１２０に当たる可能性がある。しかし、収納された物品の下端部は、周囲を台座側面部により覆われている。また、台座側面部は、台座天面部から端部までの長さが、挿入された物品の台座天面部へ挿入された部分の長さよりも長い（長さについての詳細は後述する）。したがって、収納された物品の下端部が本体下面部１３０に当たることはない。また、収納された物品の上端部側には、本体上面部１２０の内側に本体保護部１４０が設けられている。そのため、収納された物品の上端部が本体上面部１２０に当たることはない。また、本体保護部１４０は、上述したように、本体下面部１３０方向から本体上面部１２０方向へ押した場合に弾力を生じ、クッション性を有している。したがって、収納された物品の上端部が本体保護部１４０に当たった場合でも、収納された物品へ伝わる衝撃は和らげられる。
【００２７】
図４は、実施の形態１に係る収納ケースとは異なり、ケース本体１００と台座２００とが一体になっている場合の展開図である。実施の形態１に係る収納ケースは、図４に示すようにケース本体１００と台座２００とが一体になっていても構わない。但し、この場合には、台座が本体側面部１１０の内壁に沿って移動可能とならないため、衝撃吸収がケース本体１００と台座２００とを別々に製造した場合と比して低減する。また、図４に示すように、ケース本体１００と台座２００とが一体になっているため、部品取りが悪く、材料に無駄が出る。ケース本体１００と台座２００とを別々に製造することにより、より部品取りをよくし、材料を効率的に使うことができる。
【００２８】
ここで、上記収納ケースには、例えば、ランプ３００が収納される。図５は、上記収納ケースに収納されるランプ３００の一例である。図５に示すランプ３００は、バルブ３１０、フィラメント３２０、口金ピン３３０、口金３４０を備える。ランプ３００は、例えば、ハロゲンランプであり、ＩＥＣ（国際電気標準会議）規格だけではなくＪＩＳ規格（日本工業規格）などで規格化されているいわゆる「Ｐ」記号付きミラー無しラインボルトハロゲンランプ（ＪＤハロゲン電球）である。
ランプ３００が台座２００に取り付けられる場合、ランプ３００の口金ピンから物品取付部２２０に挿入される。そして、ランプ３００は、口金３４０部分が概ね全て挿入された状態で台座２００に取り付けられる。つまり、物品取付部２２０は、ランプ３００の口金を挿入されてランプ３００の口金が台座側面部の内側になるようにランプを取り付ける。そして、上述したように、台座側面部は、台座天面部２１０から端部までの長さ（図３に示すＨ）が、挿入されたランプ３００の口金３４０の長さ（図５に示すＢ）よりも長い。したがって、口金３４０は台座側面部１０により保護される。また、物品取付部２２０の切込みにランプ３００の口金３４０を挿入してランプ３００を取り付ける場合、２つの舌部によりランプ３００の口金３４０が有する４つの面の内、対向する幅の狭い２つの面を挟持する。これは、口金３４０の幅の広い面は封止部と呼ばれ、ランプ寿命に影響を与える重要な部分であり耐久性が弱く、圧力などの力を加えた場合に破損及び短寿命などの可能性が高いためである。物品取付部２２０に取り付けられる物品がランプ３００でない場合であっても、同様に、耐久性が弱い面に２つの舌部が当たらないようにすることで、より物品の保護を高めることが可能である。また、口金３４０の幅広の面に印字されるランプの種類などの視認性を台座側面部により落とすこともない。
ここで、図５に示すランプ３００の口金ピンの幅ＢＬは口金の厚みＢＫよりも大きい。つまり、図５の（ｂ）に表示される面及びその裏面を２つの舌部が挟持する。また、口金ピンの幅ＢＬはランプの幅Ｄよりも小さい。これにより、ランプ３００が物品取付部２２０から取り外しされる場合に、２つの舌部に口金ピン３３０が引っ掛かり破損することがない。
また、図３に示す台座２００の物品取付部２２０のサイズＬとＷとは、それぞれ、Ｌ≒ＢＬ、Ｗ≒ＢＫである。つまり、物品取付部２２０のサイズは、ランプの口金３４０がちょうど挿入可能なサイズであるか、ややきつくなるサイズである。
【００２９】
図６は、図１と同様に実施の形態１に係るケース本体１００の展開図である。図６において、Ｌ１は本体保護部１４０のクッション部１４４の長さである。つまり、本体保護部１４０の中で、第１側面部１１２の端部から第２側面部１１４に当接する先端１４２までの長さである。Ｌ２は第４側面部１１８の幅である。ここで、第４側面部１１８の幅と第３側面部１１６の幅とは概ね同一である。Ｌ３は第１側面部１１２の幅である。ここで、第１側面部１１２の幅と第２側面部１１４の幅とは概ね同一である。
実施の形態１に係るケース本体１００において、Ｌ１＞Ｌ２である。そのため、本体保護部１４０は、先端を第２側面部１１４に当接することによりたわみを有し、クッション部１４４は弾性を生じる。また、Ｌ２≧（Ｌ３×２）である。さらに、Ｌ３≧２０ｍｍである。これは、収納ケースに収納された物品の取り出し易さを考慮したためである。図５のランプ３００が収納ケースに収納された場合を考える。図５のランプ３００のＤのサイズは例えば最大１４ｍｍ程度である。従来のランプの個装箱タイプの収納ケースでは、ランプ３００をちょうど収納可能なサイズであった。したがって、概ね２０ｍｍ四方のサイズであった。しかし、この場合には収納ケースに指を入れることが難しく、ランプの取り出しの際にランプに傷を付けてしまうおそれがある。そこで、指のサイズなどを考慮し上記サイズとする。なお、収納する物品のサイズが大きい場合には、それに合わせて収納ケースのサイズは大きくし、かつ指の入るスペースを設けることで同様の効果を得る。
【００３０】
図７は、収納ケースにランプ３００を収納した状態を示す正面図である。斜線部分はケース本体１００に付けられた印刷柄である印刷部１９０を示す。印刷部１９０は本来色が付され内部が見えない状態となるが、ここでは透明で表し内部にある本体保護部１４０が見える状態で示している。印刷部１９０により本体保護部１４０が外部から見えず、美感を損ねない。つまり、収納ケースの透明部分から見えるものは、収納されたランプ３００と台座天面部２１０のみである。
図７において、Ｌ４はランプ３００のバルブの先端から本体保護部１４０の台座２００が移動することによりバルブの先端が触れる部分までの距離を示す。Ｌ５はランプ３００のバルブの先端から本体上面部１２０までの距離を示す。Ｌ６は台座天面部２１０から口金ピン３３０の先端までの距離を示す。Ｌ７は台座天面部２１０から台座側面部の先端までの距離を示す。ここで、Ｌ４（Ｌ５）＜Ｌ６＜Ｌ７である。ここで、Ｌ４及びＬ５は台座２００が本体下面部１３０に接しており、かつ、台座２００にランプ３００の口金３４０が概ね全て挿入された状態における距離であるとする。これにより、ランプ３００が台座２００からずれた場合であっても、本体保護部１４０に当たることで、ランプ３００が台座２００から外れることを防止できる。また、上述したように、口金３４０は台座側面部により保護される。
【００３１】
実施の形態１に係る収納ケースによれば、個装箱にＰＥＴやＰＰ透明な素材を使用したことにより、収納された物品を外部から確認可能である。したがって、買い物客などは収納された物品の形状を確認した上で購入することができ、買い間違いや物品の形状を確認するために収納ケースを開けてしまうことによる収納ケースの劣化や物品の落下などを防ぐことができる。
また、略直方体の個装箱に所定の物に吊り下げ可能な吊り下げ部１６０を備えることにより、什器などへ置いて陳列することや、フックバーなどに引っ掛けて陳列することができる。そのため、従来の個装箱とブリスターパッケージとの２通りのパッケージを準備する必要がない。
さらに、ケース本体１００と台座２００とを別部品として、ケース本体１００の内部で収納する物品を浮かせて移動可能に略固定すること、及び、蓋の折り込み部分の押さえを本体保護部１４０として収納する物品を保護することで、緩衝材を別途設ける必要がない。また、台座２００の台座天面部２１０に設けられた切込みからなる物品取付部２２０に収納する物品を取り付けるため、別途取り付け部材を用意する必要がない。したがって、緩衝材や取り付け用の部材のコストを節減でき、かつ、収納ケースの廃棄の手間もかからない。
【図面の簡単な説明】
【００３２】
【図１】ランプが取り付けられた台座２００をケース本体１００に収納した状態を示す斜視図。
【図２】実施の形態１に係るケース本体１００の展開図。
【図３】実施の形態１に係る台座２００の展開図。
【図４】ケース本体１００と台座２００とが一体になっている場合の部品取りを示す図。
【図５】上記収納ケースに収納されるランプの一例。
【図６】図１と同様に実施の形態１に係るケース本体１００の展開図。
【図７】収納ケースにランプ３００を収納した状態を示す正面図。
【符号の説明】
【００３３】
１００  ケース本体、１１０  本体側面部、１１２  第１側面部、１１４  第２側面部、１１６  第３側面部、１１８  第４側面部、１２０  本体上面部、１２２  上面部先端、１３０  本体下面部、１３２  下面部先端、１４０  本体保護部、１４２  先端、１４４  クッション部、１５０  本体係止部、１６０  吊り下げ部、１６２  凸部、１７０  のり代部、１８０ａ  爪部ａ、１８０ｂ  爪部ｂ、１９０  印刷部、２００  台座、２１０  台座天面部、２２０  物品取付部、２２２ａ  舌部ａ、２２２ｂ  舌部ｂ、２３０ａ  台座側面部ａ、２３０ｂ  台座側面部ｂ、２３０ｃ  台座側面部ｃ、２３０ｄ  台座側面部ｄ、３００  ランプ、３１０  バルブ、３２０  フィラメント、３３０  口金ピン、３４０  口金。
【図１】
0004805028.tif 000002
【図２】
0004805028.tif 000003
【図３】
0004805028.tif 000004
【図４】
0004805028.tif 000005
【図５】
0004805028.tif 000006
【図６】
0004805028.tif 000007
【図７】
0004805028.tif 000008